(57)【特許請求の範囲】
【請求項１】
タッチパネルと、
センシング範囲内の物体の有無を検知するためのセンサと、
前記タッチパネルに含まれる入力装置および表示装置それぞれのＯＮ／ＯＦＦ状態を制御するための制御装置とを備え、
前記制御装置は、
前記タッチパネルの前記表示装置、前記入力装置、および前記センサのいずれもがＯＦＦ状態であるセーブ状態において操作開始となるイベントが発生したときに、前記タッチパネルの前記表示装置をＯＦＦ状態からＯＮ状態に移行して前記表示装置を表示可能な状態とし、
前記タッチパネルの前記表示装置、前記入力装置、および前記センサのいずれもがＯＮ状態である操作中状態から前記操作が終了した状態となると、前記センサのＯＮ状態をＯＦＦ状態に移行し、前記センシング範囲内の物体の有無の検出動作を停止させる、携帯端末。
【請求項２】
前記制御装置は、前記セーブ状態において前記イベントが発生したときに前記センサで前記センシング範囲内に物体があることが検知されると、前記タッチパネルの前記入力装置のＯＦＦ状態を維持して前記タッチパネルに対する入力を受け付けない状態を維持する、請求項１に記載の携帯端末。
【請求項３】
前記セーブ状態において前記イベントが発生したときに前記センサで前記センシング範囲内に物体がないことが検知されると、前記タッチパネルの前記表示装置をＯＦＦ状態からＯＮ状態に移行して前記表示装置を表示可能な状態とし、かつ、前記タッチパネルの前記入力装置をＯＦＦ状態からＯＮ状態に移行して前記タッチパネルに対する入力を受け付ける状態とする、請求項１または２に記載の携帯端末。
【請求項４】
前記制御装置は、前記セーブ状態において前記イベントが発生したときに、前記センサのＯＦＦ状態をＯＮ状態に移行し、前記センシング範囲内の物体の有無を検出可能な状態とする、請求項１〜３のいずれか１項に記載の携帯端末。
【請求項５】
前記制御装置は、前記セーブ状態において前記イベントが発生したときに前記センサで前記センシング範囲内に物体があることが検知されると、その旨を報知する画面を前記タッチパネルの前記表示装置に表示させる、請求項１〜４のいずれかに記載の携帯端末。
【請求項６】
タッチパネルとセンシング範囲内の物体の有無を検知するためのセンサとを有する携帯端末における、前記タッチパネルに含まれる入力装置および表示装置、ならびに前記センサそれぞれのＯＮ／ＯＦＦ状態を制御する方法であって、
前記タッチパネルの前記表示装置、前記入力装置、および前記センサのいずれもがＯＦＦ状態であるセーブ状態において操作開始となるイベントが発生すると、前記タッチパネルの前記表示装置をＯＦＦ状態からＯＮ状態に移行し、かつ、前記センサをＯＦＦ状態からＯＮ状態に移行するステップと、
前記セーブ状態において前記イベントが発生したときに、前記移行するステップでＯＮ状態に移行した前記センサで前記センシング範囲内に物体があることが検知されると前記タッチパネルの前記入力装置のＯＦＦ状態を維持し、前記センシング範囲内に物体がないことが検知されると前記タッチパネルの前記入力装置をＯＦＦ状態からＯＮ状態に移行するステップと、
前記タッチパネルの前記表示装置、前記入力装置、および前記センサのいずれもがＯＮ状態である操作中状態から前記操作が終了した状態となると、前記センサのＯＮ状態をＯＦＦ状態に移行し、前記センシング範囲内の物体の有無の検出動作を停止させるステップとを備える、携帯端末の制御方法。
【請求項７】
タッチパネルとセンシング範囲内の物体の有無を検知するためのセンサとを有する携帯端末に、前記タッチパネルに含まれる入力装置および表示装置、ならびに前記センサそれぞれのＯＮ／ＯＦＦ状態の制御を実行させるためのプログラムであって、
前記タッチパネルの前記表示装置、前記入力装置、および前記センサのいずれもがＯＦＦ状態であるセーブ状態において操作開始となるイベントが発生すると、前記タッチパネルの前記表示装置をＯＦＦ状態からＯＮ状態に移行し、かつ、前記センサをＯＦＦ状態からＯＮ状態に移行するステップと、
前記セーブ状態において前記イベントが発生したときに、前記移行するステップでＯＮ状態に移行した前記センサで前記センシング範囲内に物体があることが検知されると前記タッチパネルの前記入力装置のＯＦＦ状態を維持し、前記センシング範囲内に物体がないことが検知されると前記タッチパネルの前記入力装置をＯＦＦ状態からＯＮ状態に移行するステップと、
前記タッチパネルの前記表示装置、前記入力装置、および前記センサのいずれもがＯＮ状態である操作中状態から前記操作が終了した状態となると、前記センサのＯＮ状態をＯＦＦ状態に移行し、前記センシング範囲内の物体の有無の検出動作を停止させるステップとを前記携帯端末に実行させる、携帯端末の制御プログラム。
【発明の詳細な説明】
【技術分野】
【０００１】
この発明は携帯端末、携帯端末の制御方法、および携帯端末の制御プログラムに関し、特に、タッチパネルを有する携帯端末、該携帯端末の制御方法、および該携帯端末の制御プログラムに関する。
【背景技術】
【０００２】
携帯電話機など、操作部としてタッチパネルを有する携帯端末が多くみられる。
携帯端末のタッチパネルの誤動作を防ぐ技術として、たとえば特開２０１０−５０９４３号公報（以下、特許文献１）に開示されているような通話中に人感センサ（近接、赤外線）を使って液晶をＯＮ／ＯＦＦ制御する技術や、特開２００２−１３５３６９号公報（以下、特許文献２）に開示されているような通話中にタッチパネルセンサを使って身体の一部の有無によりキーの誤動作を防止する技術を利用することが考えられる。
【先行技術文献】
【特許文献】
【０００３】
【特許文献１】特開２０１０−５０９４３号公報
【特許文献２】特開２００２−１３５３６９号公報
【発明の概要】
【発明が解決しようとする課題】
【０００４】
しかしながら、特許文献１，２に開示されたこれら技術では、通話中に耳などが当たることによるタッチパネルやキー誤動作を防ぐことができるが、着信の誤動作を防ぐものではない。
【０００５】
図１１および図１２は、携帯端末での着信の誤作動について説明するための図である。図１１は、タッチパネルでの消費電力を抑えた状態であるパネルセーブ状態での、タッチパネルのうちの表示装置、タッチパネルのうちの入力装置（タッチパネル）、および人感センサ等の接近を検出するためのセンサそれぞれのＯＮ／ＯＦＦ状態を表わした図であり、図１２は、着信中での、表示装置、入力装置（タッチパネル）、および人感センサ等の接近を検出するためのセンサそれぞれのＯＮ／ＯＦＦ状態を表わした図である。
【０００６】
図１１を参照して、パネルセーブ状態では表示装置、入力装置およびセンサはいずれもＯＦＦ状態あり、図１２を参照して、着信中になると表示装置および入力装置は連動してＯＮ状態に移行する。
【０００７】
たとえば、タッチパネルを搭載した携帯端末では近年、端末をポケットの中に入れた状態で着信があり、ポケットから取り出して、タッチパネル操作で着信応答しようとしてもタッチパネル操作ができず着信応答操作ができないことがある。
【０００８】
この原因としては次のような原因が挙げられる。すなわち、携帯端末に手が触れている場合には人間の体がグランド（０Ｖ）状態となるために携帯端末のグランド状態は安定するものの、タッチパネルの液晶面（操作面）を体側に当てたままポケットに入れている際に、携帯端末に手が触れていないため、携帯端末としてのグランド（０Ｖ）状態は弱く不安定な状態である。この状態で着信などにより液晶が点灯するとタッチパネルのキャリブレーションが実施されてタッチパネルが有効になると、物体を離した状態でも静電容量の電荷が残ってしまい、触っていないのに指が検出されてしまうことがあるためである。このため、正常なタッチ操作が受け付けられなくなることがある。
【０００９】
また、図１２に表わされたように、着信中になると表示装置および入力装置がＯＮ状態に移行するため、携帯端末をポケットに入れた状態で着信があり、携帯端末をポケットから取り出そうとした時に誤ってタッチパネルを触ってしまい誤動作してしまうことがある。
【００１０】
本発明はこのような問題に鑑みてなされたものであって、タッチパネルを有する携帯端末において、該タッチパネルを用いた操作開始時の誤作動を防止することのできる携帯端末、該携帯端末の制御方法、および該携帯端末の制御プログラムを提供することを目的としている。
【課題を解決するための手段】
【００１１】
上記目的を達成するために、本発明のある局面に従うと、携帯端末は、タッチパネルと、センシング範囲内の物体の有無を検知するためのセンサと、タッチパネルに含まれる入力装置および表示装置それぞれのＯＮ／ＯＦＦ状態を制御するための制御装置とを備える。制御装置は、タッチパネルの表示装置、入力装置、およびセンサのいずれもがＯＦＦ状態であるセーブ状態において操作開始となるイベントが発生したときに、タッチパネルの表示装置をＯＦＦ状態からＯＮ状態に移行して表示装置を表示可能な状態とし、セーブ状態においてイベントが発生したときにセンサでセンシング範囲内に物体があることが検知されると、タッチパネルの入力装置のＯＦＦ状態を維持してタッチパネルに対する入力を受け付けない状態を維持する。
【００１２】
好ましくは、セーブ状態においてイベントが発生したときにセンサでセンシング範囲内に物体がないことが検知されると、タッチパネルの表示装置をＯＦＦ状態からＯＮ状態に移行して表示装置を表示可能な状態とし、かつ、タッチパネルの入力装置をＯＦＦ状態からＯＮ状態に移行してタッチパネルに対する入力を受け付ける状態とする。
【００１３】
好ましくは、制御装置は、セーブ状態においてイベントが発生したときに、センサのＯＦＦ状態をＯＮ状態に移行し、センシング範囲内の物体の有無を検出可能な状態とする。
【００１４】
好ましくは、制御装置は、タッチパネルの表示装置、入力装置、およびセンサのいずれもがＯＮ状態である操作中状態から操作が終了した状態となると、センサのＯＮ状態をＯＦＦ状態に移行し、センシング範囲内の物体の有無の検出動作を停止させる。
【００１５】
好ましくは、制御装置は、セーブ状態においてイベントが発生したときにセンサでセンシング範囲内に物体があることが検知されると、その旨を報知する画面をタッチパネルの表示装置に表示させる。
【００１６】
本発明の他の局面に従うと、携帯端末の制御方法は、タッチパネルとセンシング範囲内の物体の有無を検知するためのセンサとを有する携帯端末における、タッチパネルに含まれる入力装置および表示装置、ならびにセンサそれぞれのＯＮ／ＯＦＦ状態を制御する方法であって、タッチパネルの表示装置、入力装置、およびセンサのいずれもがＯＦＦ状態であるセーブ状態において操作開始となるイベントが発生すると、タッチパネルの表示装置をＯＦＦ状態からＯＮ状態に移行し、かつ、センサをＯＦＦ状態からＯＮ状態に移行するステップと、セーブ状態においてイベントが発生したときに、移行するステップでＯＮ状態に移行したセンサでセンシング範囲内に物体があることが検知されるとタッチパネルの入力装置のＯＦＦ状態を維持し、センシング範囲内に物体がないことが検知されるとタッチパネルの表示装置をＯＦＦ状態からＯＮ状態に移行するステップとを備える。
【００１７】
本発明のさらに他の局面に従うと、携帯端末の制御プログラムは、タッチパネルとセンシング範囲内の物体の有無を検知するためのセンサとを有する携帯端末に、タッチパネルに含まれる入力装置および表示装置、ならびにセンサそれぞれのＯＮ／ＯＦＦ状態の制御を実行させるためのプログラムであって、タッチパネルの表示装置、入力装置、およびセンサのいずれもがＯＦＦ状態であるセーブ状態において操作開始となるイベントが発生すると、タッチパネルの表示装置をＯＦＦ状態からＯＮ状態に移行し、かつ、センサをＯＦＦ状態からＯＮ状態に移行するステップと、セーブ状態においてイベントが発生したときに、移行するステップでＯＮ状態に移行したセンサでセンシング範囲内に物体があることが検知されるとタッチパネルの入力装置のＯＦＦ状態を維持し、センシング範囲内に物体がないことが検知されるとタッチパネルの表示装置をＯＦＦ状態からＯＮ状態に移行するステップとを携帯端末に実行させる。
【発明の効果】
【００１８】
この発明によると、タッチパネルを有する携帯端末において、通話着信時などの該タッチパネルを用いた操作開始時の誤作動を防止することができる。
【図面の簡単な説明】
【００１９】
【図１】実施の形態にかかる携帯端末の外観の具体例を示す概略図である。
【図２】実施の形態にかかる携帯端末の装置構成の具体例を示すブロック図である。
【図３】音声着信時の画面表示の具体例を表わした図である。
【図４】パネルセーブ状態での表示部、タッチパネル、センサそれぞれのＯＮ／ＯＦＦ状態を表わした図である。
【図５】着信中の状態であって、物体が接近して存在する場合の表示部、タッチパネル、センサそれぞれのＯＮ／ＯＦＦ状態を表わした図である。
【図６】着信中の状態であって、物体が接近して存在しない場合の表示部、タッチパネル、センサそれぞれのＯＮ／ＯＦＦ状態を表わした図である。
【図７】通話中の状態での表示部、タッチパネル、センサそれぞれのＯＮ／ＯＦＦ状態を表わした図である。
【図８】通話終了後の状態での表示部、タッチパネル、センサそれぞれのＯＮ／ＯＦＦ状態を表わした図である。
【図９】携帯端末の機能構成の具体例を示すブロック図である。
【図１０】携帯端末での制御の流れを表わしたフローチャートである。
【図１１】従来の携帯端末での、パネルセーブ状態での表示部、タッチパネル、センサそれぞれのＯＮ／ＯＦＦ状態を表わした図である。
【図１２】従来の携帯端末での、着信中での表示部、タッチパネル、センサそれぞれのＯＮ／ＯＦＦ状態を表わした図である。
【発明を実施するための形態】
【００２０】
以下に、図面を参照しつつ、本発明の実施の形態について説明する。以下の説明では、同一の部品および構成要素には同一の符号を付してある。それらの名称および機能も同じである。
【００２１】
＜装置構成＞
図１は、本実施の形態にかかる携帯端末１００の外観の具体例を示す概略図である。
【００２２】
図１を参照して、携帯端末１００は、正面にタッチパネルが上層面に設けられた表示・入力装置１５が配され、さらに、その上方に音声出力部であるスピーカ１６と、および表示・入力装置１５の下方に音声入力部であるマイク１７とが配されている。
【００２３】
スピーカ１６の近傍には、所定範囲内に物体が存在することを検知するための近接センサであるセンサ１４が設けられる。
【００２４】
図２は、本実施の形態にかかる携帯端末１００の装置構成の具体例を示すブロック図である。
【００２５】
図２を参照して、携帯端末１００は、全体を制御するための演算装置であるＣＰＵ１０と、ＣＰＵ１０で実行されるプログラムなどを記憶するためのＲＯＭ１１と、ＣＰＵ１０でプログラムを実行する際の作業領域として機能するためのＲＡＭ１２と、画像データや電話帳データなどを記憶するためメモリ１３と、センサ１４と、情報を表示したり当該携帯端末１００に対する操作入力を受け付けたりするためのタッチパネルを含んだ表示・入力装置１５と、スピーカ１６と、マイク１７と、他の装置との間の通信を制御するための通信コントローラ１８とを含む。
【００２６】
表示・入力装置１５は、液晶表示装置などの表示装置の上層に、光学式タッチパネルや静電容量タッチパネルなどの入力装置であるタッチパネルが重なって構成されている。
【００２７】
表示・入力装置１５の表示装置部分とタッチパネルである入力装置部分とには、それぞれ独立して電力が供給される。
【００２８】
図３は、音声着信時の画面表示の具体例を表わした図である。
図３を参照して、音声着信時には、音声着信を表わす画面が表示されると共に、通話の開始を指示するためのボタンおよび通話の終了を指示するためのボタンが表示装置に表示される。タッチパネルのその位置をタッチすることで、通話の開始または通話の終了を指示することができる。
【００２９】
＜制御概要＞
本実施の形態にかかる携帯端末１００では、予め規定された状態において、表示・入力装置１５の表示装置、入力装置、およびセンサ１４それぞれのＯＮ／ＯＦＦ状態が予め規定された状態となるように制御される。
【００３０】
図４〜図８は、規定された、各状態での表示・入力装置１５の表示装置、入力装置、およびセンサ１４それぞれのＯＮ／ＯＦＦ状態を表わした図である。
【００３１】
図４は、タッチパネルでの消費電力を抑えた状態であるパネルセーブ状態でのＯＮ／ＯＦＦ状態を表わした図である。図４を参照して、パネルセーブ状態では、表示装置はＯＦＦ状態、タッチパネルである入力装置ＯＦＦ状態、およびセンサ１４はＯＦＦ状態とされる。
【００３２】
このような状態となるため、この場合、物体がセンサ１４のセンシング範囲に存在することになっても、その存在が検知されることがない。また、この状態では、表示装置が非点灯となる。また、この状態ではタッチパネルの操作ができない。
【００３３】
図５は、着信中の状態であって、センサ１４のセンシング範囲（センサ上）に物体が存在する場合、つまり近接して物体が存在する場合のＯＮ／ＯＦＦ状態を表わした図である。図５を参照して、着信中の状態であって、センサ１４のセンシング範囲（センサ上）に物体が存在する場合、表示装置はＯＮ状態、タッチパネルである入力装置ＯＦＦ状態、およびセンサ１４はＯＮ状態とされる。
【００３４】
このような状態となるため、この場合、センサ１４のセンシング範囲に存在する物体がセンサ１４で検知される。また、この状態では、表示装置が点灯している。なお、この状態ではタッチパネルの操作ができない。
【００３５】
なお、この状態の場合、図５（Ｂ）に表わされたように、センサ１４上のみに物体が存在している場合も考慮して、物体を端末上から離すことを促すよう表示・入力装置１５にメッセージ（注意）をポップアップ表示するなどしてもよい。
【００３６】
図６は、着信中の状態であって、センサ１４のセンシング範囲（センサ上）に物体が存在しない場合、つまり近接して物体が存在しない場合のＯＮ／ＯＦＦ状態を表わした図である。図６を参照して、着信中の状態であって、センサ１４のセンシング範囲（センサ上）に物体が存在しない場合、表示装置はＯＮ状態、タッチパネルである入力装置ＯＮ状態、およびセンサ１４はＯＮ状態とされる。
【００３７】
このような状態となるため、この場合、センサ１４のセンシング範囲に存在する物体がセンサ１４で検知される。また、この状態では、表示装置が点灯している。また、この状態ではタッチパネルの操作が可能となる。
【００３８】
図７は、通話中の状態でのＯＮ／ＯＦＦ状態を表わした図である。図７を参照して、通話中の状態では、表示装置はＯＮ状態、タッチパネルである入力装置ＯＮ状態、およびセンサ１４はＯＮ状態とされる。
【００３９】
このような状態となるため、この場合、センサ１４のセンシング範囲に存在する物体がセンサ１４で検知される。また、この状態では、表示装置が点灯している。また、この状態ではタッチパネルの操作が可能となる。
【００４０】
図８は、通話終了後の状態でのＯＮ／ＯＦＦ状態を表わした図である。図８を参照して、通話終了後の状態では、表示装置はＯＮ状態、タッチパネルである入力装置ＯＮ状態、およびセンサ１４はＯＦＦ状態とされる。
【００４１】
このような状態となるため、この場合、物体がセンサ１４のセンシング範囲に存在することになっても、その存在が検知されることがない。また、この状態では、表示装置が点灯している。また、この状態ではタッチパネルの操作が可能となる。
【００４２】
通常、タッチパネルを有する携帯端末においては、タッチパネル（入力装置）のＯＮ／ＯＦＦ（有効／無効）状態は表示装置のＯＮ／ＯＦＦ（点灯／非点灯）状態と同期している（点灯状態＝タッチパネル有効、非点灯状態＝タッチパネル無効）ものであるが、本実施の形態にかかる携帯端末１００ではこれらを独立して制御する。すなわち、本実施の形態にかかる携帯端末１００では、着信時に表示装置がＯＦＦ状態（非点灯状態）からＯＮ状態（点灯状態）へ遷移する際に、タッチパネル（入力装置）のＯＮ／ＯＦＦ（有効／無効）状態を、物体の近接を検知するセンサ１４でのセンシング結果も判断基準として用いて判断する。
【００４３】
詳しくは、表示装置がＯＦＦ状態（非点灯状態）であって入力装置（タッチパネル）もＯＦＦ状態（無効状態）において音声着信通知を受けると、携帯端末１００のＣＰＵ１０は表示装置をＯＮ状態（点灯状態）へ遷移し、表示装置への画面表示により端末使用者へ着信があったことを通知する。このときＣＰＵ１０は、センサ１４の動作を開始し、センサ１４からの出力をチェックする。
【００４４】
センサ１４の出力がセンシング範囲（検出距離内）に物体が近づいたことを表わすものである場合、ＣＰＵ１０は、入力装置（タッチパネル）をＯＦＦ状態（無効状態）のままとする。これは、当該携帯端末１００がポケットの中などにあることが想定されるためである。
【００４５】
ただし、ユーザが意図せずにセンサ１４上に物体が当たってしまっていることも考えらえるため、表示・入力装置１５の画面上から物体を外すよう表示装置へ注意などをポップアップ表示させる。
【００４６】
一方、センサ１４の出力がセンシング範囲（検出距離内）に物体がないことを表わすものである場合、ＣＰＵ１０は、入力装置（タッチパネル）をＯＮ状態（有効状態）に移行する。これは、当該携帯端末１００がポケットの外などにあることが想定されるためである。
【００４７】
なお、表示・入力装置１５などにより応答操作後は、表示装置の表示を通話画面へ遷移する。そして、通話終了が検出されると、ＣＰＵ１０は、センサ１４をＯＦＦ状態としてセンシング動作を停止させる。
【００４８】
＜機能構成＞
図９は、上述のようにＯＮ／ＯＦＦ状態を制御するための携帯端末１００の機能構成の具体例を示すブロック図である。図９の各機能は、携帯端末１００のＣＰＵ１０が、ＲＯＭ１１に記憶されるプログラム（アプリケーション）を読み出してＲＡＭ１２上に展開しつつ実行することによって、主にＣＰＵ１０上に形成されるものであるが、少なくとも一部が図２に表わされたハードウェア構成によって実現されてもよい。
【００４９】
図９を参照して、携帯端末１００のＣＰＵ１０は、通信コントローラ１８での通信制御に基づいて着信の有無や通話中か通話終了かなどを判断するための通話判断部１０１と、センサ１４でのセンシングに基づいてセンサ１４のセンシング範囲（センサ上）への物体の近接の有無を判断するたけの近接判断部１０２と、タッチパネルである表示・入力装置１５のうちの表示装置のＯＮ／ＯＦＦ状態をいずれとすべきかを判断するための表示装置判断部１０３と、表示・入力装置１５のうちの入力装置のＯＮ／ＯＦＦ状態をいずれとすべきかを判断するための入力装置判断部１０４と、センサ１４のＯＮ／ＯＦＦ状態をいずれとすべきかを判断するためのセンサ判断部１０５と、表示・入力装置１５のうちの表示装置のＯＮ／ＯＦＦ状態を管理するための表示装置管理部１０６と、表示・入力装置１５のうちの入力装置のＯＮ／ＯＦＦ状態を管理するための入力装置管理部１０７と、センサ１４のＯＮ／ＯＦＦ状態を管理するためのセンサ管理部１０８とを含む。
【００５０】
表示装置判断部１０３は、通話判断部１０１によって判断された着信の有無と、表示装置管理部１０６で管理されている表示装置の現在のＯＮ／ＯＦＦ状態とに基づいて表示装置のＯＮ／ＯＦＦ状態をいずれとすべきかを判断し、判断された状態となるように制御信号を表示装置管理部１０６に対して入力する。表示装置管理部１０６はその制御信号で表わされた状態となるよう表示・入力装置１５の表示装置の状態を制御すると共に、その状態を表示装置の現在のＯＮ／ＯＦＦ状態として記憶する。
【００５１】
入力装置判断部１０４は、通話判断部１０１によって判断された着信の有無と、表示装置管理部１０６で管理されている表示装置の現在のＯＮ／ＯＦＦ状態と、近接判断部１０２によって判断されたセンサ１４のセンシング範囲（センサ上）への物体の近接の有無とに基づいて入力装置のＯＮ／ＯＦＦ状態をいずれとすべきかを判断し、判断された状態となるように制御信号を入力装置管理部１０７に対して入力する。入力装置管理部１０７はその制御信号で表わされた状態となるよう表示・入力装置１５の入力装置の状態を制御すると共に、その状態を入力装置の現在のＯＮ／ＯＦＦ状態として記憶する。
【００５２】
センサ判断部１０５は、通話判断部１０１によって判断された着信の有無と、表示装置管理部１０６で管理されている表示装置の現在のＯＮ／ＯＦＦ状態とに基づいて、または、通話判断部１０１によって判断された通話の終了に基づいて、センサ１４のＯＮ／ＯＦＦ状態をいずれとすべきかを判断し、判断された状態となるように制御信号をセンサ管理部１０８に対して入力する。センサ管理部１０８はその制御信号で表わされた状態となるようセンサ１４の状態を制御すると共に、その状態をセンサ１４の現在のＯＮ／ＯＦＦ状態として記憶する。
【００５３】
＜動作フロー＞
図１０は、携帯端末１００での制御の流れを表わしたフローチャートである。図１０のフローチャートに表わされた制御は、ＣＰＵ１０が、ＲＯＭ１１に記憶されるプログラムを読み出してＲＡＭ１２上に展開しつつ実行し、図９の各機能を発揮させることによって実現される。
【００５４】
図１０を参照して、表示・入力装置１５の表示装置（タッチパネル）がＯＦＦ状態（非点灯）であって、タッチパネルが無効である状態であり（ステップＳ１０１でＹＥＳ）、かつ着信中の場合（ステップＳ１０３でＹＥＳ）、ステップＳ１０５でＣＰＵ１０は表示・入力装置１５の表示装置をＯＮ状態とする。これにより表示・入力装置１５が点灯し、表示が可能な状態となる。
【００５５】
また、ステップＳ１０９でＣＰＵ１０はセンサ１４をＯＮ状態とする。これにより、センサ１４がセンシング動作を開始する。
【００５６】
着信中の状態においてセンサ１４で物体が近接状態にあることが検出されると（ステップＳ１０９でＹＥＳ）、ステップＳ１１１でＣＰＵ１０は、表示・入力装置１５に近接を注意するポップアップ表示を行なう。
【００５７】
着信中の状態においてセンサ１４で物体が近接状態にあることが検出されない場合には（ステップＳ１０９でＮＯ）、ステップＳ１１３でＣＰＵ１０は表示・入力装置１５の入力装置をＯＮ状態とする。これにより表示・入力装置１５のタッチパネルが有効となり、入力が可能な状態となる。
【００５８】
その後、表示・入力装置１５への操作に基づいて通話を開始すると（ステップＳ１１５）、ＣＰＵ１０はその終了を監視する。そして、通話の終了が検出されると（ステップＳ１１７でＹＥＳ）、ステップＳ１１９でＣＰＵ１０はセンサ１４をＯＦＦ状態とする。これにより、センサ１４がセンシング動作を停止する。
【００５９】
なお、以上の例では、携帯端末１００に対して音声通話の着信があった場合に上のような制御がなされるものとしているが、音声通話に限定されるものではなく、メール着信など、当該携帯端末１００の操作を開始するトリガとなる他からのイベントであれば他のいかなるイベントであってもよい。
【００６０】
＜実施の形態の効果＞
携帯端末１００において上のような制御が行なわれることで、ポケットなどに当該携帯端末１００を入れている時に着信があった場合であっても、物体の近接を検知するセンサ１４の出力がセンシング範囲内に物体が存在することを表わすものであることによってタッチパネルが無効とされる。そのため、ポケットから当該携帯端末１００を取り出そうと誤ってタッチパネルに触れた場合であっても誤動作することがない。
【００６１】
また、ポケットから携帯端末１００を取り出したことによってセンサ１４の出力がセンシング範囲内に物体が存在しないことを表わすものになったことによってタッチパネルが有効とされる。そのため、グランド状態の安定した、当該携帯端末１００を手で持っている状態でタッチパネルのキャリブレーションが実施されることになる。これにより、先述のような、静電容量の電荷が残ってしまうこともなく、触っていないのに指が検出されてしまうという事態を防止でき、正常にタッチ操作を行なうことができる。
【００６２】
さらに、携帯端末１００のＣＰＵ１０に上述の制御を行なわせるためのプログラムを提供することもできる。このようなプログラムは、コンピュータに付属するフレキシブルディスク、ＣＤ−ＲＯＭ（Compact Disk-Read Only Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６３】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００６４】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００６５】
提供されるプログラム製品は、ハードディスクなどのプログラム格納部にインストールされて実行される。なお、プログラム製品は、プログラム自体と、プログラムが記録された記録媒体とを含む。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６７】
１０  ＣＰＵ、１１  ＲＯＭ、１２  ＲＡＭ、１３  メモリ、１４  センサ、１５  入力装置、１６  スピーカ、１７  マイク、１８  通信コントローラ、１００  携帯端末、１０１  通話判断部、１０２  近接判断部、１０３  表示装置判断部、１０４  入力装置判断部、１０５  センサ判断部、１０６  表示装置管理部、１０７  入力装置管理部、１０８  センサ管理部。
【図１】
0005886692.tif 000002
【図２】
0005886692.tif 000003
【図３】
0005886692.tif 000004
【図４】
0005886692.tif 000005
【図５】
0005886692.tif 000006
【図６】
0005886692.tif 000007
【図７】
0005886692.tif 000008
【図８】
0005886692.tif 000009
【図９】
0005886692.tif 000010
【図１０】
0005886692.tif 000011
【図１１】
0005886692.tif 000012
【図１２】
0005886692.tif 000013